(57)【要約】【課題】小型薄型で強度の強い携帯端末を提供する。【解決手段】収容部１１ａ、１１ｂの内側に補強部１３、１５が設けられているため、収容部１１ａ、１１ｂから挿入部１２ａ、１２ｂを抜き出して伸張した開状態へ移行した際に、例えば収容部１１ａ、１１ｂの外側に操作部２４、３５が設けられている場合には、使用者が操作部２４、３５を押下操作しても補強部１３、１５が操作部２４、３５を剛に支持することができ、操作性が向上する。【選択図】図４
2008219850.tif 000002
【特許請求の範囲】
【請求項１】
第１筐体と、
第２筐体と、
前記第２筐体に対し前記第１筐体をスライド移動させる連結部と、
前記連結部により前記第１筐体および前記第２筐体が互いに重なる閉状態において、前記第１筐体に設けられた収容部と、
前記第２筐体に設けられて前記収容部に挿入される挿入部と、
前記収容部の内側に設けられた補強部と、を有することを特徴とする携帯端末。
【請求項２】
前記補強部が前記第１筐体に埋設された金属部材により設けられていることを特徴とする請求項１に記載の携帯端末。
【請求項３】
前記収容部の外側に操作部が設けられていることを特徴とする請求項１または請求項２に記載の携帯端末。
【請求項４】
前記補強部が、前記第１筐体とは別体の金属板と、前記金属板の縁部を覆う樹脂部材とを有していることを特徴とする請求項１から請求項３のいずれか１項に記載の携帯端末。
【請求項５】
前記補強部が、前記第１筐体に収容された回路基板に当接していることを特徴とする請求項１から請求項４のいずれか１項に記載の携帯端末。
【請求項６】
表示部及び第１の操作部を有し、段差形状を有する第１筐体と、
第２の操作部を有し、段差形状を有する第２筐体と、
前記第２筐体に対し前記第１筐体をスライド移動させる連結部と、
前記第２筐体に対し前記第１筐体をスライド移動させた状態において、前記第１筐体と前記第２筐体との間に生じる空隙と、
前記第１の操作部と前記空隙との間に設けられた補強部と、を有することを特徴とする携帯端末。
【請求項７】
前記補強部が、前記第１筐体とは別体の金属板であるとともに、前記金属板の両面に沿ってフレキシブル基板が配置されていることを特徴とする請求項３に記載の携帯端末。
【請求項８】
前記補強部が、前記第１筐体とは別体の金属板であるとともに、前記第１筐体の側部に設けられたスイッチを支持する折曲部が設けられていることを特徴とする請求項３に記載の携帯端末。
【請求項９】
表示部及び第１の操作部を有し、段差形状を有する第１筐体と、
第２の操作部を有し、段差形状を有する第２筐体と、
前記第２筐体に対し前記第１筐体をスライド移動させる連結部と、
前記第２筐体に対し前記第１筐体をスライド移動させた状態において、前記第１筐体と前記第２筐体との間に生じる空隙と、
前記第２の操作部と前記空隙との間に設けられた補強部とを有し、
前記補強部の表面にカードコネクタストッパがインサート成型されていることを特徴とする携帯端末。
【発明の詳細な説明】
【技術分野】
【０００１】
本発明は、第１筐体および第２筐体が互いに重なる閉状態と、第１筐体および第２筐体を摺動して伸長する開状態とを選択可能な携帯端末に関するものである。
【背景技術】
【０００２】
従来、箱状の上筐体と下筐体とを、連結部によってスライド可能に連結している携帯端末が知られている（例えば特許文献１参照）。
特許文献１に記載の携帯端末では、上筐体の上面に表示部および上操作部を有し、下筐体の上面に下操作部を有している。上下両筐体は、レールおよびガイドからなる連結部によってスライド可能に連結されており、閉状態では両筐体が重なるため、下操作部は上筐体の下に隠れることになる。一方、両筐体を相対的に移動させて開状態とすると、下筐体の下操作部が現れて開状態となる。
【特許文献１】特開２００５−２４４６７９号公報
【発明の開示】
【発明が解決しようとする課題】
【０００３】
しかしながら、スライド型の携帯端末では、上筐体と下筐体とレールとを順番に積層した構造となっており、一定の厚みを必要としていたために携帯端末を薄型化することができなかった。また、筐体自体を薄型化した場合、落下強度やボタンの押圧に対する強度に問題が発生していた。
【０００４】
本発明は、前述した問題を解決するためになされたもので、小型薄型で強度の強い携帯端末を提供することにある。
【課題を解決するための手段】
【０００５】
本発明の携帯端末は、第１筐体と、第２筐体と、前記第２筐体に対し前記第１筐体をスライド移動させる連結部と、前記連結部により前記第１筐体および前記第２筐体が互いに重なる閉状態において、前記第１筐体に設けられた収容部と、前記第２筐体に設けられて前記収容部に挿入される挿入部と、前記収容部の内側に設けられた補強部と、を有することを特徴とする。
【０００６】
このような本発明においては、収容部の内側に補強部が設けられているため、収容部から挿入部を抜き出して伸張した開状態へ移行した際に、例えば収容部の外側に操作部が設けられている場合には、使用者が操作部を押下操作しても操作部を剛に支持することができ、操作性が向上する。
【０００７】
また、本発明の携帯端末は、前記補強部が前記第１筐体に埋設された金属部材により設けられていることを特徴とする。
【０００８】
このような本発明においては、樹脂製の第１筐体に対して例えばインサート成形により金属部材を埋設するので、厚型化を伴うことなく第１筐体の収容部を補強できる。
なお、金属部材の形状としては、例えば板状、帯状、棒状、格子状等を例示できる。
【０００９】
さらに、本発明の携帯端末は、前記収容部の外側に操作部が設けられていることを特徴とする。
【００１０】
このような本発明においては、操作部が、内側に補強部が設けられている収容部の外側に設けられているので、使用者が操作部を押下操作した際に、補強部が支持することになり、操作性が向上する。
【００１１】
さらに、本発明の携帯端末は、前記補強部が、前記第１筐体とは別体の金属板と、前記金属板の縁部を覆う樹脂部材とを有していることを特徴とする。
【００１２】
このような本発明においては、別体の金属板により補強部を設けるため、補強部が第１筐体の設計や製作に干渉せず、変更も容易となる。また、本発明においては、金属板の縁部を樹脂部材で覆っているので、第１筐体の所定位置に配置した後、金属板の縁部が第１筐体や第１筐体に収容された他の筐体に擦れて削れることを防止できる。
【００１３】
さらに、本発明の携帯端末は、前記補強部が、前記第１筐体に収容された回路基板に当接していることを特徴とする。
【００１４】
このような本発明においては、補強部が例えば回路基板の基材や基材に実装された電子部品等に当接して支持されるため、開状態で操作部を押下げ操作した際に、補強部が操作部を支持することになり、操作性と剛性感とが確実に向上することになる。
【００１５】
また、本発明の携帯端末は、表示部及び第１の操作部を有し、段差形状を有する第１筐体と、第２の操作部を有し、段差形状を有する第２筐体と、前記第２筐体に対し前記第１筐体をスライド移動させる連結部と、前記第２筐体に対し前記第１筐体をスライド移動させた状態において、前記第１筐体と前記第２筐体との間に生じる空隙と、前記第１の操作部と前記空隙との間に設けられた補強部と、を有することを特徴とする。
【００１６】
さらに、本発明の携帯端末は、前記補強部が、前記第１筐体とは別体の金属板であるとともに、前記金属板の両面に沿ってフレキシブル基板が配置されていることを特徴とする。
【００１７】
このような本発明においては、金属板を筐体とは別体として、別個に製作して重ねて用いることができる。また、補強部に剛性の高い金属板を用い、この金属板の両面に沿ってフレキシブル基板を配置しているので、剛性が低いフレキシブル基板を用いることができる。また、金属板の両面にフレキシブル基板を配置するので、筐体を薄くすることができる。
【００１８】
さらに、本発明の携帯端末は、前記補強部が、前記第１筐体とは別体の金属板であるとともに、前記第１筐体の側部に設けられたスイッチを支持する折曲部が設けられていることを特徴とする。
【００１９】
このような本発明においては、金属板の折曲部が筐体側部のスイッチを支持するため、別個スイッチを支持する支持部材を設けることなくスイッチ操作に剛性感が得られ、筐体の薄型化を図ることができる。
【００２０】
さらに、本発明の携帯端末は、表示部及び第１の操作部を有し、段差形状を有する第１筐体と、第２の操作部を有し、段差形状を有する第２筐体と、前記第２筐体に対し前記第１筐体をスライド移動させる連結部と、前記第２筐体に対し前記第１筐体をスライド移動させた状態において、前記第１筐体と前記第２筐体との間に生じる空隙と、前記第２の操作部と前記空隙との間に設けられた補強部とを有し、前記補強部の表面にカードコネクタストッパがインサート成型されていることを特徴とする。
【００２１】
このような本発明においては、第１筐体と第２筐体とをスライド移動させたときに生じる空隙において、第２筐体の第２の操作部と空隙との間に補強部を設けたので、使用者が第２の操作部を押下操作しても第２の操作部を剛に支持することができ、操作性が向上する。また、補強部の表面にカードコネクタストッパが設けられているので、衝撃が加わった際でも確実にカードコネクタを保持することができるとともに、カードコネクタストッパはインサート成型により補強部に一体的に設けられているので、筐体の小型薄型化を図ることができる。
【発明の効果】
【００２２】
本発明は、スライド型携帯端末の強度を向上させながら小型薄型化を図ることができる。
【発明を実施するための最良の形態】
【００２３】
以下、本発明の実施形態の携帯端末について、図面を用いて説明する。
図１は本発明にかかる実施形態の携帯端末の開状態における全体斜視図、図２（Ａ）は閉状態の携帯端末の平面図、図２（Ｂ）は図２（Ａ）中Ｂ−Ｂ位置の断面図、図３（Ａ）は開状態の携帯端末の平面図、図３（Ｂ）は図３（Ａ）中Ｂ−Ｂ位置の断面図、図４は上筐体および下筐体を下筐体側から見た分解斜視図、図５は下筐体の補強部を示す斜視図、図６は下筐体の主操作部の分解斜視図、図７は補強版を下面側から見た斜視図、図８は補強版を上面側から見た斜視図である。
【００２４】
図１〜図３に示すように、携帯端末１０は、矩形箱状をした第１筐体である上筐体２０と、同様に矩形箱状をした第２筐体である下筐体３０と、上筐体２０および下筐体３０をスライド可能に連結する連結部４０（図４参照）とを有している。
【００２５】
上筐体２０は、平面的な枠状をしたアッパーカバー２１と、上部が開口した箱状のアッパーケース２２とを有しており、アッパーケース２２の上端部に開口を囲うようにしてアッパーカバー２１が取付けられている（図４参照）。アッパーケース２２は開状態において下面に露出する程度の大きさを有しており、アッパーカバー２１の上部（図１において左側端部）のみに設けられている。
すなわち、図２に示す閉状態から図３に示す開状態へと変化するときの上筐体２０の相対的移動方向である第１筐体移動方向（図１〜図４における矢印参照）側端部２０Ａの厚みＨＵ１を第１筐体移動方向反対側端部２０Ｂの厚みＨＵ２より厚く構成している。
上筐体２０におけるアッパーカバー２１の上面２１ａには表示部２３、ナビ操作部２４、レシーバ２５等が設けられている。
【００２６】
また、下筐体３０は、矩形箱状のロアーケース３２と、ロアーケース３２の一方の端部（図３中左端部）付近を覆うロアーカバー３１を有しており、閉状態から開状態へと変化するときの第２筐体移動方向（図１〜図４における矢印参照）側端部３０Ａの厚みＨＬ１を第２筐体移動方向反対側端部３０Ｂの厚みＨＬ２より厚く構成している。
下筐体３０の第２筐体移動方向側端部のロアーカバー３１の上面３１ａには、複数のキー３５ａを有する主操作部３５（第２の操作部）やマイク３６等が設けられており、主操作部３５の下方には空間が設けられて収容部１１ｂが形成されている。また、下筐体３０におけるロアーケース３２の下面３２ａには、電池カバー３３ａ等が設けられており、内側には電池３３が収納されている。
【００２７】
従って、図２に示すように、閉状態においては、厚さ（ＨＵ２）が薄い上筐体２０の第１筐体移動方向反対側端部２０Ｂと、厚さ（ＨＬ１）が厚い下筐体３０の第２筐体移動方向側端部３０Ａとが重なり合うことになり、主操作部３５はナビ操作部２４の下方に隠れることになる。
【００２８】
一方、図３に示すように、上筐体２０および下筐体３０を連結部４０によって相対的にスライド移動させることにより、上筐体２０と下筐体３０が互いに伸長した開状態においては、上筐体２０の反対側端部２０Ｂと下筐体３０の第２筐体移動方向反対側端部３０Ｂとが重なり合う。このため、主操作部３５はナビ操作部２４（第１の操作部）の下側（図３において左側）に露出することになり、操作可能となる。
【００２９】
図４に示すように、上筐体２０のアッパーカバー２１とアッパーケース２２で形成される内部空間には、上回路基板５０が内蔵されている。上回路基板５０は、アッパーカバー２１に設けられている係止爪２１ｂによってアッパーカバー２１に係止されるとともに、後述するスライドレール４１とともにネジ４１ａによってスライドレール４１とともにアッパーカバー２１に締結されている。
【００３０】
図４に示すように、上筐体２０内部における上回路基板５０の下側（図４においては上側）には、上筐体２０と下筐体３０とをスライド可能に連結する連結部４０を構成するレールである金属製のスライドレール４１が設けられている。このスライドレール４１は、ネジ４１ａによって上回路基板５０を介してアッパーカバー２１に締結されるとともに、ネジ４１ｂによって上回路基板５０に締結されている。スライドレール４１は、左右一対のレール部４２ａ、４２ｂと、この両レール部４２ａ、４２ｂを連結する幅広の被覆部４３とから全体Ｈ字状に形成されている。
【００３１】
一方、図４に示すように、下筐体３０におけるロアーカバー３１とロアーケース３２との間には、連結部４０を構成するスライドベース４４が取付けられている。すなわち、スライドベース４４はネジ４５ａによってロアーカバー３１とロアーケース３２との間に固定されると共に、ネジ４５ｂによってロアーケース３２に固定されている。
【００３２】
図４に示すように、上筐体２０に設けられているナビ操作部２４のキーシート２４ａの下側には空間が設けられて収容部１１ａ（図３参照）が形成されており、閉状態においては下筐体３０に設けられた挿入部１２ａ（図３参照）である操作部３５が挿入されることになる。また、開状態においては、収容部１１ａから挿入部１２ａである操作部３５が抜き出されることになり、図３に示すような空隙１４ａを形成することになる。
【００３３】
図４に示すように、収容部１１ａの内側、すなわちナビ操作部２４のキーシート２４ａの裏面（図３（Ｂ）において下面）には、補強部の金属部材としての金属板１３が設けられている。金属板１３は、縁部が額縁状の樹脂部材１３ａによって覆われており、この樹脂部材１３ａを介して上筐体２０のアッパーカバー２１に取付けられている。あるいは、金属板１３の縁部を、アッパーカバー２１に埋設するように、アッパーカバー２１にインサート成形により設けることもできる。従って、ナビ操作部２４の下側にはキーシート２４ａが配置され、キーシート２４ａの下側に金属板１３がアッパーカバー２１と一体的に設けられることになる。
【００３４】
これにより、金属板１３を薄く取付けることができるとともに、キーシート２４ａを確実に補強することができ、ナビ操作部２４の操作性が向上する。また、金属板１５が直接上筐体２０の樹脂部分と接触しないので、金属板１５が上筐体２０の樹脂部分を削るのを防止することができる。なお、上筐体２０の収容部１１ａに回路基板（図示省略）、回路基板に実装された電子部品（図示省略）、連結部４０等が設けられている場合において両筐体２０、３０のスライドに支障が無い場合には、これらの部品によって金属板１３を支持するのが望ましい。また、補強部の金属部材の形状としては、例えば板状、帯状、棒状、格子状等を例示できる。
【００３５】
また、下筐体３０に設けられている操作部３５のキー３５ａの下側（図４において上側）には空間が設けられて収容部１１ｂ（図３参照）が形成されており、閉状態においては上筐体２０に設けられた挿入部１２ｂ（図３４参照）であるスライドレール４１のレール部４２ａ、４２ｂが挿入されることになる。また、開状態においては、収容部１１ｂから挿入部１２ｂであるレール部４２ａ、４２ｂが抜き出されることになり、図３に示すような空隙１４ｂを形成することになる。
【００３６】
図４に示すように、収容部１１ｂの裏面、すなわち主操作部３５のキーシート３５ｂの裏面（図３（Ｂ）において下面）には、補強部の金属部材としての金属板１５が設けられている。
【００３７】
金属板１５の縁部には、例えば額縁状の樹脂部材１５ａ（図５参照）がインサート成型により一体的に覆われている。そして、この樹脂部材１５ａを介して下筐体３０のロアーカバー３１に取り付けられている。あるいは、金属板１５の縁部を、ロアーカバー３１に埋設するようにロアーカバー３１にインサート成形により設けることもできる。これにより、金属板１５が直接上筐体２０の樹脂部分と接触しないので、金属板１５が上筐体２０の樹脂部分を削るのを防止することができる。なお、金属板１５は、下筐体２０の収容部１１ｂに設けられている回路基板（図示省略）、回路基板に実装された電子部品（図示省略）、連結部４０等の収容部材１６に当接して、支持されている。
【００３８】
図６に示すように、金属板１５は下筐体３０とは別体であり、金属板１５の上面に沿ってフレキシブル基板３７（図８参照）が設けられ、金属板１５の下面に沿ってフレキシブル基板３８（図７参照）が設けられている。なお、図６〜図８において、「上面側」とは携帯端末１０の上面側、「下面側」とは携帯端末１０の下面側、「上部側」とは携帯端末１０の使用状態における上方、「下部側」とは携帯端末１０の使用状態における下方を、それぞれ示している。
【００３９】
従って、図４および図６に示すように、金属板１５は別個に製作して重ねて用いることができるので、製造が容易である。また、補強部に剛性の高い金属板１５を用い、この金属板１５の上下両面に沿ってフレキシブル基板３７、３８を配置しているので、剛性が低いフレキシブル基板３７、３８を用いることができる。また、金属板１５の上下両面にフレキシブル基板３７、３８を配置するので、下筐体３０を薄くすることができる。
【００４０】
さらに、図７に示すように、金属板１５の側端部には、下筐体３０の側部に設けられたスイッチを支持する折曲部１５ｂが下方へ向けて折曲形成されている。従って、金属板１５の折曲部１５ｂが側部のスイッチを支持するため、別個スイッチを支持する支持部材を設けることなくスイッチ操作に剛性感が得られ、筐体の薄型化を図ることができる。
また、金属板１５の下面には、樹脂製のカードコネクタストッパ６０がインサート成型により一体的に設けられている。例えば、金属板１５に樹脂部材１５ａをインサート成型で設ける際に、同時に設けることができる。
【００４１】
また、図８に示すように、金属板１５の上面にはフレキシブル基板３７が設けられており、フレキシブル基板３７の上面には主操作部３５用のスイッチ基板３９が設けられている。スイッチ基板３９の側部には金属板１５の折曲部１５ｂに沿って延設部３９ｂが設けられており、下筐体３０の側部のスイッチ３９ｃを形成している。なお、スイッチ基板３９には、キー３５ａに対応して複数個（例えば、ここでは３×４の１２個）のスイッチ３９ａが設けられている。
【００４２】
図７に示すように、金属板１５の表面に設けられているカードコネクタストッパ６０は、フレキシブル基板３８の切欠部３８ａ（図６参照）から下方へ突出して露出している。また、フレキシブル基板３８の下面には、ＳＩＭカード６１を保持するＳＩＭカードスロット６２が設けられており、ＳＩＭカードスロット６２の一端はフレキシブル基板３８を貫通して金属板１５の下面に取り付けられている。そして、ＳＩＭカードスロット６２を実装した状態では、カードコネクタストッパ６０はＳＩＭカードスロット６２の一部を構成することになる。
なお、ＳＩＭカード６１（シムカード、Subscriber Identity Module Card）とは、GSMやW-CDMAなどの方式の携帯電話で使われている電話番号を特定するための固有のID番号が記録されたICカードのことである。
【００４３】
ＳＩＭカードスロット６２は、左右両端縁に沿ってＳＩＭカード６１を保持する保持部６２ａを有するとともに、図７中矢印Ａ方向へ開閉する蓋６３を有している。従って、蓋６３の保持部６２ａによってＳＩＭカード６１を保持して、蓋６３を閉じる（図７に示す状態）と、ＳＩＭカードスロット６２に収容されたＳＩＭカード６１はカードコネクタストッパ６０の内部に収容されて、フレキシブル基板３８に設けられている端子に押し付けられて接続されることになる。
【００４４】
このため、携帯端末１０を落下等させて衝撃が加わった際でもＳＩＭカード６１が脱落することなく、確実にＳＩＭカード６１を保持することができるとともに、カードコネクタストッパ６０はインサート成型により補強板に一体的に設けられているので、下筐体３０の小型薄型化を図ることができる。
【００４５】
以上、説明した携帯端末１０によれば、上筐体２０と下筐体３０とが重なり合う閉状態から、上筐体２０および下筐体３０を相対的にスライドさせて開状態に移行すると、上筐体２０の収容部１１ａに挿入されている下筐体３０の挿入部１２ａが抜き出されると同時に、下筐体３０の収容部１１ｂに挿入されている上筐体２０の挿入部１２ｂが抜き出される。このため、収容部１１ａ、１１ｂには空隙ができるが、収容部１１ａ、１１ｂの内側に設けられている金属板１３、１５が収容部１１ａ、１１ｂの外側に設けられているナビ操作部２４ａ、主操作部３５を補強するので、強度を向上させながら小型薄型化を図ることができる。また、操作部２４、３５を押下げ操作した際に、金属板１３、１５が操作部２４,３５を支持するため、上筐体２０および下筐体３０に曲げ、撓み等の変形が生じ難
く、操作性を向上させることができる。
【００４６】
なお、前述した実施形態においては、上筐体２０のナビ操作部２４および下筐体３０の操作部３５を金属板１３、１５で補強する場合について説明したが、いずれか一方の操作部２４、３５のみを補強することもできる。
【産業上の利用可能性】
【００４７】
以上のように、本発明によれば、操作部の操作性が向上するとともに、筐体の変形が抑制され、携帯端末の薄型化を図ることができるという効果を有し、第１筐体および第２筐体が積層された携帯状態と、第１筐体および第２筐体が相対的に平行移動して段違い配置される伸張状態とを選択可能な携帯端末等として有用である。装置携帯電話機、ＰＤＡ、モバイル型のＰＣ、ノート型ＰＣなどのようなスライド可能な小型電子機器に適用するのに好適である。
【図面の簡単な説明】
【００４８】
【図１】本発明にかかる実施形態の携帯端末の開状態における全体斜視図である。
【図２】（Ａ）は閉状態の携帯端末の平面図、（Ｂ）は図２（Ａ）中Ｂ−Ｂ位置の断面図である。
【図３】（Ａ）は開状態の携帯端末の平面図、（Ｂ）は図３（Ａ）中Ｂ−Ｂ位置の断面図である。
【図４】上筐体および下筐体を下筐体側から見た分解斜視図である。
【図５】下筐体の補強部を示す下側から見た斜視図である。
【図６】下筐体の主操作部の分解斜視図である。
【図７】補強版を下面側から見た斜視図である。
【図８】補強版を上面側から見た斜視図である。
【符号の説明】
【００４９】
１０  携帯端末
１１ａ、１１ｂ  収容部
１２ａ、１２ｂ  挿入部
１３、１５  金属板（補強部、金属部材）
１３ａ、１５ａ  樹脂部材
１５ｂ  折曲部
１６  収容部材
２０  上筐体（第１筐体）
２４  ナビ操作部（第１の操作部）
３５  主操作部（第２の操作部）
３０  下筐体（第２筐体）
３７，３８  フレキシブル基板
４０  連結部
６０  カードコネクタストッパ
【図１】
2008219850.tif 000003
【図２】
2008219850.tif 000004
【図３】
2008219850.tif 000005
【図４】
2008219850.tif 000006
【図５】
2008219850.tif 000007
【図６】
2008219850.tif 000008
【図７】
2008219850.tif 000009
【図８】
2008219850.tif 000010